(57)【特許請求の範囲】
【請求項１】
ユニット本体内に送風機を配置し、この送風機の送風路内に室内側熱交換器を配置し、ユニット本体の下面の吸い込み口から送風機によって吸い込んだ空気を、室内側熱交換器で熱交換して、ユニット本体の下面の吹出し口から吹き出す天井埋込型空気調和装置において、
前記室内側熱交換器は、冷媒熱交換器と、冷媒熱交換器より高さが低い温水熱交換器とを備え、前記温水熱交換器を冷媒熱交換器の上面に接触させた状態で一対の取り付け金具により一体化させると共に、前記冷媒熱交換器の側面の前記温水熱交換器の下方にフックを一体形成し、このフックを、前記ユニット本体内に配置された左右一対のサイドフレームに形成されたフックに引っ掛けて、前記送風機の吹出口側に斜めに配置した状態で前記サイドフレームに連結したことを特徴とする天井埋込型空気調和装置。
【請求項２】
冷媒熱交換器のサイドフレーム間に温水熱交換器がベンドを含んで全て収納されていることを特徴とする請求項１記載の天井埋込型空気調和機。
【発明の詳細な説明】
【０００１】
【発明の属する技術分野】
本発明は、天井埋込型空気調和機の構造に関する。
【０００２】
【従来の技術】
一般に、ユニット本体内に送風機を配置し、この送風機の送風路内に室内側熱交換器を配置し、ユニット本体の下面の吸い込み口から送風機によって吸い込んだ空気を、室内側熱交換器で熱交換して、ユニット本体の下面の吹出し口から吹き出す天井埋込型空気調和機が知られている。この種のものでは、暖房運転時の熱効率を高めるため、ユニット本体内に、冷媒熱交換器のほかに温水熱交換器を配置したものが提案されている。
【０００３】
【発明が解決しようとする課題】
従来の構成では、ほぼ同形状の冷媒熱交換器と温水熱交換器とを２つ重ねて並設しているため、ユニット本体の高さが高くなるという問題がある。
【０００４】
この高さがあまり高くなると、例えば建物が２×４工法等による場合であったり、マンションビル等であった場合等、天井裏高さが小さくなるため、その天井裏にユニット本体を収納できなくなるおそれがある。
【０００５】
そこで、本発明の目的は、上述した従来の技術が有する問題点を解消し、冷媒熱交換器と温水熱交換器とを収納しても、ユニット本体の高さを低く抑えることができる天井埋込型空気調和機を提供することにある。
【０００６】
【課題を解決するための手段】
請求項１記載の発明は、ユニット本体内に送風機を配置し、この送風機の送風路内に室内側熱交換器を配置し、ユニット本体の下面の吸い込み口から送風機によって吸い込んだ空気を、室内側熱交換器で熱交換して、ユニット本体の下面の吹出し口から吹き出す天井埋込型空気調和装置において、前記室内側熱交換器は、冷媒熱交換器と、冷媒熱交換器より高さが低い温水熱交換器とを備え、前記温水熱交換器を冷媒熱交換器の上面に接触させた状態で一対の取り付け金具により一体化させると共に、前記冷媒熱交換器の側面の前記温水熱交換器の下方にフックを一体形成し、このフックを、前記ユニット本体内に配置された左右一対のサイドフレームに形成されたフックに引っ掛けて、前記送風機の吹出口側に斜めに配置した状態で前記サイドフレームに連結したことを特徴とする。
【０００７】
請求項２記載の発明は、請求項１記載のものにおいて、冷媒熱交換器のサイドフレーム間に温水熱交換器がベンドを含んで全て収納されていることを特徴とする。
【００１０】
【発明の実施の形態】
以下、本発明の一実施形態を添付図面に従って説明する。
【００１１】
図１において、天井埋込型の室内ユニット１２は、建屋の天井空間１内に吊り下げて固定されている。この室内ユニット１２は、箱形のユニット本体２と、このユニット本体２の下面開口部に取り付けられた化粧パネル３とを備え、この化粧パネル３には、長手方向に延びる一つの吸込口４と、同じく長手方向に延びる一つの吹出口５とが開口形成されている。このユニット本体２は、送風機２６、冷媒熱交換器２３及び温水熱交換器２４からなる室内側熱交換器２５、及びドレンパン７等を備えて構成されている。
【００１２】
図２は、空気調和装置１０の冷媒回路を示している。
【００１３】
この空気調和装置１０は室外ユニット１１、上記室内ユニット（ユニット本体２に相当する。）１２及び給湯ユニット１３を有してなり、室外ユニット１１の室外冷媒配管１４と室内ユニット１２の室内冷媒配管１５とが、連結配管１６及び１７を介して連結されている。
【００１４】
上記室外ユニット１１は室外に配置され、室外冷媒配管１４に圧縮機１８が配設され、この室外冷媒配管１４における圧縮機１８の吸込側にアキュムレータ１９及びマフラ２０が、圧縮機１８の側から順次配設され、また、室外冷媒配管１４における圧縮機１８の吐出側に室外熱交換器２１及び電動膨張弁２２が、圧縮機１８の側から順次配設されて構成される。
【００１５】
室外熱交換器２１には、この室外熱交換器２１へ向かって送風する室外ファン（不図示）が隣接して配置されている。
【００１６】
上記室内ユニット１２は天井裏に吊り下げられ、室内冷媒配管１５には室内冷媒熱交換器２３が配設されるとともに、室内温水熱交換器２４を有して構成される。これらの室内冷媒熱交換器２３及び室内温水熱交換器２４により室内側熱交換器２５が構成される。また、室内ユニット１２内では、室内熱交換器２５近傍に、この室内熱交換器２５へ室内空気を送風する、送風機（ターボファン）２６が配置されている（図２参照）。
【００１７】
前記給湯ユニット１３は熱源機２７を有し、この熱源機２７は、熱源機給水配管２８から供給された給水を加熱して温水を作る。この温水は、図示しない蛇口から外部へ放出可能とされるとともに、室内ユニット１２の室内温水熱交換器２４と熱源機２７との間で循環可能とされる。
【００１８】
つまり、熱源機２７と室内温水熱交換器２４は、熱源機２７から室内温水熱交換器２４へ温水を送る温水往き配管２９と、室内温水熱交換器２４から熱源機２７へ温水を戻す温水戻り配管３０とによって接続される。
【００１９】
そして、温水往き配管２９に、この温水往き配管２９内を流れる温水の流量を調整する流量可変弁３１が配設されている。熱源機２７から室内温水熱交換器２４へ温水が供給されることによって、この室内温水熱交換器２４を通過する室内空気が熱交換により加熱される。
【００２０】
図示しない制御装置は、同じく図示しないリモートコントローラ等により冷房運転が選択して指令された場合には、流量可変弁３１を閉弁操作させるとともに、室外ユニット１１の圧縮機１８、室外ファン及び送風機２６を起動させる。これによって、室内ユニット１２の室内冷媒熱交換器２３が蒸発器として機能し、この室内冷媒熱交換器２３により、室内ユニット１２内へ導かれた室内空気が冷却されて室内を冷房する。
【００２１】
また、リモートコントローラ等により暖房運転が選択して指令された場合には、室外ユニット１１の圧縮機１８、室外ファン及び送風機２６を停止させるとともに、流量可変弁３１を開弁操作させて、熱源機２７からの温水を室内温水熱交換器２４との間で循環させる。
【００２２】
この室内温水熱交換器２４により、送風機２６によって室内ユニット１２内に導かれた室内空気が加熱されて室内を暖房する。
【００２３】
ここで、制御装置は、上述の冷房運転または暖房運転において、室内ユニット１２に設置された室温センサ３２により検出された室内温度が、リモートコントローラ等により設定された設定温度とほぼ一致するように、上記冷房運転または暖房運転を制御する。
【００２４】
本実施形態では、図１に示すように、ユニット本体２内に室内側熱交換器２５が配設され、これを構成する一方の冷媒熱交換器２３は、送風機２６側に位置する端部２３Ａが下に、その反対側の端部２３Ｂが上になるように、かつ、下に位置する端部２３Ａと送風機２６との隙間δが所定の隙間になるように、送風機２６の送風路内に斜めに配置されている。
【００２５】
この隙間δは、送風機２６が運転された場合、この隙間δを通じて、送風機２６の吸い込み側２６Ａから吹出し側２６Ｂに吸い込み空気が回り込まないように所定の寸法に設定されている。
【００２６】
室内側熱交換器２５を構成する他方の温水熱交換器２４は、一方の冷媒熱交換器２３よりも小さく形成され、この温水熱交換器２４は冷媒熱交換器２３の上面側に接触固定されている。
【００２７】
図３は、冷媒熱交換器２３と温水熱交換器２４の組み付け図である。図３において、４１はサイドフレームを示し、このサイドフレーム４１は、ユニット本体２内に左右一対で配置されている。
【００２８】
一対のサイドフレーム４１間には、上述した送風機２６、冷媒熱交換器２３及び温水熱交換器２４が支持される。すなわち、冷媒熱交換器２３と温水熱交換器２４とは一体化されており、図４に示すように、温水熱交換器２４の幅方向寸法Ｗ１は、両端のベンド２４Ａを含んで、一対のサイドフレーム４１間寸法Ｗ２よりも小さく形成されている。冷媒熱交換器２３と温水熱交換器２４とは、一対の取付け金具３９により一体化され、この取付け金具３９は、図３に示すように、ねじ３９Ａ、３９Ｂを介して、冷媒熱交換器２３及び温水熱交換器２４のそれぞれの管板に取り付けられている。
【００２９】
組み付けの手順を説明すると、まず、図３を参照して、矢印Ａで示すように、一対のサイドフレーム４１の側面４１Ａに、冷媒熱交換器２３の側面２３Ｃが当接するまで、一体化された冷媒熱交換器２３及び温水熱交換器２４を、一対のサイドフレーム４１側に移動させる。ついで、それぞれの側面２３Ｃ，４１Ａを当接させた状態で、矢印Ｂで示す方向に、一体化した冷媒熱交換器２３及び温水熱交換器２４を移動させる。
【００３０】
矢印Ｂで示す方向に移動させると、冷媒熱交換器２３の側面２３Ｃに一体形成されたフック２３Ｄが、サイドフレーム４１の内面に形成されたフック（不図示）に引っかかり、冷媒熱交換器２３及び温水熱交換器２４と、一対のサイドフレーム４１とが連結される。
【００３１】
また、いずれか一方のサイドフレーム４１には略Ｕ字形の２つの切り欠き４１Ｂ，４１Ｃが形成され、一体化された冷媒熱交換器２３及び温水熱交換器２４と、一対のサイドフレーム４１とが連結された後、これらの切り欠き４１Ｂ，４１Ｃを通じて、温水熱交換器２３の温水配管３０，３１（図２）がサイドフレーム４１の外側に導出される。
【００３２】
本実施形態では、一体化された冷媒熱交換器２３及び温水熱交換器２４と、一対のサイドフレーム４１とが連結された場合、冷媒熱交換器２３の下に位置する端部２３Ａと送風機２６との間には所定の隙間δが形成され、この隙間δを通じての、送風機２６の吸い込み側２６Ａから吹出し側２６Ｂへの、吸い込み空気の回り込みがほぼ抑制される。
【００３３】
また、一体化された冷媒熱交換器２３及び温水熱交換器２４と、一対のサイドフレーム４１とが連結された場合、温水熱交換器２４は、両端のベンド２４Ａを含んで全て、一対のサイドフレーム４１間に収納されるため、ユニット本体２の高さＨ（図１）を、温水熱交換器２４を持たない従来のユニット本体２とほぼ等しく設定することができる。
【００３４】
以上、一実施の形態に基づいて本発明を説明したが、本発明は、これに限定されるものでないことは明らかである。例えば、本実施形態では、冷媒熱交換器２３の上面側に温水熱交換器２４を配置したが、この配置関係は上下が逆になってもよいことは明らかである。
【００３５】
【発明の効果】
本発明によれば、一方の熱交換器は送風機との隙間を所定の隙間に設定した状態で斜めに配置し、他方の熱交換器は一方の熱交換器の上面側に配置したから、ユニット本体の高さを、温水熱交換器を持たない従来のユニット本体とほぼ等しく設定することができる。
【図面の簡単な説明】
【図１】本発明の空気調和装置の一実施形態を示す図である。
【図２】図１の空気調和装置の冷媒回路図である。
【図３】室内側熱交換器の側面図である。
【図４】室内側熱交換器の正面図である。
【符号の説明】
２  ユニット本体
２３  冷媒熱交換器
２３Ａ、２３Ｂ  端部
２４  温水熱交換器
２５  室内側熱交換器
２６  送風機
δ  隙間
【図１】
0003821369.tif 000002
【図２】
0003821369.tif 000003
【図３】
0003821369.tif 000004
【図４】
0003821369.tif 000005